(57)【特許請求の範囲】
【請求項１】
建物の屋外に面する壁を貫通して配線・配管材が挿通される貫通孔を、屋外側において覆う閉塞カバーであって、
前記貫通孔を覆うとともに前記壁の屋外側の壁面に当接するプレートを有する、カバー部と、
前記カバー部から前側に突出し、前記配線・配管材が挿通される内筒と、
前記カバー部から、前記内筒を囲むように前側に突出し、前記内筒との間に前記配線・配管材を保護する保護管が挿入可能であって、その挿入された保護管を抜止め状態に固定する固定部を有する、外筒とを、
備え、
前記内筒および前記外筒は、上向きとなるよう前記プレートに対して傾斜して形成され、
前記外筒内には、その外筒に挿入される前記保護管の先端が当接してその保護管の挿入を規制するように、前記外筒から前記内筒に渡り、かつ、前記内筒および前記外筒の延びる方向に直交する、挿入規制面が設けられ、
前記外筒には、前記挿入規制面に通ずる位置に、前記内筒と前記外筒との間に浸入した水を排出する排出口が設けられている、配線・配管材貫通部の閉塞カバー。
【請求項２】
複数の前記配線・配管材が挿通される前記貫通孔を、屋外側において覆う閉塞カバーであって、
前記内筒は、前記配線・配管材をそれぞれ挿通すべく複数設けられ、
前記外筒は、前記複数の内筒をまとめて囲むように形成される、請求項１に記載の配線・配管材貫通部の閉塞カバー。
【発明の詳細な説明】
【技術分野】
【０００１】
この発明は、建物の壁を貫通して配線・配管材が挿通される貫通孔を、屋外側で覆う、配線・配管材貫通部の閉塞カバーに関するものである。
【背景技術】
【０００２】
従来、建物の壁を貫通して配線・配管材が挿通される貫通孔を、屋外側で覆う、閉塞カバーとして、流体管引出しカバーがあった（例えば、特許文献１参照）。図６に示すように、この流体管引出しカバー２３は、前側に突出して流体管２１が挿通される内筒２４と、その内筒２４を囲むとともにその内筒２４との間に底面２５ａを有する外筒２５を備えていた。そして、外筒２５と内筒２４との間には、流体管２１を保護する保護管２２が挿入された。
【先行技術文献】
【特許文献】
【０００３】
【特許文献１】登録意匠第９０２１２２号公報
【発明の概要】
【発明が解決しようとする課題】
【０００４】
ところで、前記従来の流体管引出しカバー２３にあっては、雨足が激しい場合には、雨水が、外筒２５の先端側からその外筒２５と保護管２２との間に入り込み、保護管２２の下端を回って、その保護管２２と内筒２４との間から上昇し、さらには、内筒２４の上端を回って、その内筒２４と流体管２１との間を下降することで、屋内へと浸入する虞があった。
【０００５】
この発明は、上記した従来の欠点を解決するためになされたものであり、その目的とするところは、外筒からの雨水を屋内に浸入しにくくすることができる、配線・配管材貫通部の閉塞カバーを提供することにある。
【課題を解決するための手段】
【０００６】
この発明に係る配線・配管材貫通部の閉塞カバーは、前記目的を達成するために、次の構成からなる。すなわち、
請求項１に記載の発明に係る配線・配管材貫通部の閉塞カバーは、建物の屋外に面する壁を貫通して配線・配管材が挿通される貫通孔を、屋外側において覆うカバーである。この閉塞カバーは、前記貫通孔を覆うとともに前記壁の屋外側の壁面に当接するプレートを有する、カバー部と、前記カバー部から前側に突出し、前記配線・配管材が挿通される内筒と、前記カバー部から、前記内筒を囲むように前側に突出し、前記内筒との間に前記配線・配管材を保護する保護管が挿入可能であって、その挿入された保護管を抜止め状態に固定する固定部を有する、外筒とを、備える。そして、前記内筒および前記外筒は、上向きとなるよう前記プレートに対して傾斜して形成される。そこで、前記外筒内には、その外筒に挿入される前記保護管の先端が当接してその保護管の挿入を規制するように、前記外筒から前記内筒に渡り、かつ、前記内筒および前記外筒の延びる方向に直交する、挿入規制面が設けられる。そして、前記外筒には、前記挿入規制面に通ずる位置に、前記内筒と前記外筒との間に浸入した水を排出する排出口が設けられる。
【０００７】
この閉塞カバーによると、カバー部におけるプレートが、壁を貫通する貫通孔を屋外側から覆い、カバー部から前側に突出する内筒に配線・配管材が挿通される。そして、カバー部から内筒を囲むように前側に突出する外筒と、内筒との間に、配線・配管材を保護する保護管が挿入される。そこで、雨水が、外筒の先端側からその外筒と保護管との間に入り込むと、その雨水は、保護管の先端を回ってその保護管と内筒との間を通り、さらに、内筒の先端を回ってその内筒と配線・配管材との間を通ることで、屋内へと浸入しようとする。しかし、外筒には、保護管の挿入を規制する挿入規制面に通ずる位置に、排出口が設けられている。このため、外筒と保護管との間に入り込んだ雨水は、排出口から外部に排出され、これにより、保護管と内筒との間を内筒の先端側へと進む雨水の量は、減少する。
【０００８】
また、請求項２に記載の発明に係る配線・配管材貫通部の閉塞カバーは、請求項１に記載の閉塞カバーにおいて、その閉塞カバーは、複数の前記配線・配管材が挿通される前記貫通孔を、屋外側において覆うカバーである。ここで、前記内筒は、前記配線・配管材をそれぞれ挿通すべく複数設けられる。そして、前記外筒は、前記複数の内筒をまとめて囲むように形成される。
【０００９】
【００１０】
【発明の効果】
【００１１】
この発明に係る配線・配管材貫通部の閉塞カバーによれば、外筒に排出口を設けることで、外筒と保護管との間に入り込んだ雨水が排出口から外部に排出されて、保護管と内筒との間を内筒の先端側へと進む雨水の量が減少するため、外筒からの雨水を屋内に浸入しにくくすることができる。
【図面の簡単な説明】
【００１２】
【図１】この発明の一実施の形態の、断面図である。
【図２】同じく、閉塞カバーの斜視図である。
【図３】同じく、閉塞カバーの正面図である。
【図４】同じく、閉塞カバーの平面図である。
【図５】同じく、図４におけるＡ−Ａ線による断面図である。
【図６】従来の流体管引出しカバーを示す断面図である。
【発明を実施するための形態】
【００１３】
以下、この発明に係る配線・配管材貫通部の閉塞カバーを実施するための形態を図面に基づいて説明する。
【００１４】
図１〜図５は、本発明の一実施の形態を示す。図中符号１は、建物の屋外Ｊに面する壁である。２は、前記壁１を突き抜ける配線・配管材、つまり配線材または配管材（図示実施の形態においては、配管材であって、例えば湯水が流れる通水管）である。３は、前記配線・配管材２を保護する保護管である。４は、前記壁１を前記配線・配管材２が突き抜けるべく、壁１を貫通して配線・配管材２が挿通される、貫通孔１ａを、屋外Ｊ側において覆う、閉塞カバーである。
【００１５】
この閉塞カバー４は、カバー部１１と、内筒１２と、外筒１３とを備えている。ここで、カバー部１１は、前記壁１を貫通する貫通孔１ａを覆うとともに壁１の屋外Ｊ側の壁面１ｂに当接するプレート５を有する。内筒１２は、カバー部１１から前側に突出し、前記配線・配管材２が挿通されるものである。外筒１３は、カバー部１１から、内筒１２を囲むように前側に突出し、内筒１２との間に配線・配管材２を保護する保護管３が挿入可能となっている。そして、外筒１３は、その挿入された保護管３を抜止め状態に固定する固定部１４を有する。
【００１６】
また、この外筒１３内には、その外筒１３に挿入される保護管３の先端が当接してその保護管３の挿入を規制するように、外筒１３から内筒１２に渡る挿入規制面１５が設けられている。そして、外筒１３（詳しくは、後述する外筒本体１３ａ）には、挿入規制面１５に通ずる位置に、内筒１２と外筒１３との間に浸入した水を排出する排出口１３ｂが設けられている。なお、この排出口１３ｂは、保護管３の先端が挿入規制面１５に達していることを目視により確認するための、確認窓ともなっている。このため、保護管３を外筒１３内に挿入した際とか、保護管３を外筒１３に固定した後とかに、保護管３の挿入状態を確認することができる。
【００１７】
詳細には、閉塞カバー４は、複数（図示実施の形態においては二つ）の配線・配管材２、２が挿通される貫通孔１ａを、屋外Ｊ側において覆うものであって、前記内筒１２は、配線・配管材２、２をそれぞれ挿通すべく複数（図示実施の形態においては二つ）設けられる。そして、外筒１３は、前記複数（図示実施の形態においては二つ）の内筒１２、１２をまとめて囲むように形成される。また、保護管３は、配線・配管材２に合わせて（つまりは、内筒１２の数に合わせて）、複数（図示実施の形態においては二つ）設けら、それら保護管３、３の先端部分が内筒１２、１２のそれぞれに被せられる。
【００１８】
また、この閉塞カバー４は、ガイド筒部６と、充填空間形成部７とを備えている。ここで、ガイド筒部６は、プレート５の裏面から突出形成され、貫通孔１ａの内周面に嵌合して、貫通孔１ａに対するプレート５の取付位置を位置決めするものである。そして、充填空間形成部７は、ガイド筒部６よりも小径で、かつ、ガイド筒部６よりも突出して形成され、貫通孔１ａの内周面との間（詳しくは、ガイド筒部６よりも突き出た外周面と貫通孔１ａの内周面との間）にコーキング材８の充填空間９を形成するものである。
【００１９】
また、この閉塞カバー４には、ポリオレフィン系樹脂からなるシート１０が設けられている。このシート１０は、一方の面が前記ガイド筒部６の先端に当接して、他方の面が前記充填空間９の底面を形成するシートである。
【００２０】
具体的には、閉塞カバー４は、合成樹脂製であって、シート１０と固定部１４を除き一体に形成されている。プレート５は、方形板状に形成されるとともに、裏面が周縁部全周を除いて窪むように形成されている。そして、このプレート５の四隅には、閉塞カバー４を壁１に取付固定するための取付孔５ａ、５ａがあけられている。
【００２１】
ガイド筒部６および充填空間形成部７は、このプレート５の裏面から突出する。ここにおいて、貫通孔１ａは、円孔であって、ガイド筒部６は、貫通孔１ａに合うように、円形筒状に形成される。そして、充填空間形成部７は、ガイド筒部６よりも小径の筒状であって、詳細にはガイド筒部６と同心の円形筒状に形成される。そして、充填空間形成部７は、その先端側が開口する。なお、図示実施の形態においては、ガイド筒部６と充填空間形成部７との間に溝６ａが設けられているが、ガイド筒部６がこの溝６ａを埋めるように形成されても構わない。
【００２２】
シート１０は、平板状で、かつ環状に形成されている。このシート１０は、その内周面が、充填空間形成部７の外周面に嵌められ、外周面が、ガイド筒部６の外周面とほぼ面一となって、貫通孔１ａに嵌められる。
【００２３】
カバー部１１は、プレート５と、そのプレート５から前側に突出する突出部１１ａとから構成される。この突出部１１ａは、中空であって、その内部空間は、後方側が充填空間形成部７の内側に連通するように開口している。そして、突出部１１ａは、上向きとなるようプレート５に対して傾斜して形成されている。
【００２４】
内筒１２および外筒１３は、前記突出部１１ａとかプレート５から突出し、それら内筒１２および外筒１３は、上向きとなるようプレート５に対して傾斜して形成されている。詳細には、内筒１２は、突出部１１ａの頂壁１１ｂから突出する。この内筒１２は、両端が開口して、配線・配管材２は、この内筒１２と突出部１１ａと充填空間形成部７とを貫くようにそれらに挿通される。また、外筒１３は、下部側および両側部側が突出部１１ａの周壁１１ｃから延設され、上部側がプレート５から突出する。この外筒１３は、先端が開口し、基端側は、内筒１２との間が、前記頂壁１１ｂにより塞がっている。そこで、この頂壁１１ｂの外側の面が、前記挿入規制面１５となり、この挿入規制面１５は、内筒１２および外筒１３の延びる方向に直交するように形成されている。
【００２５】
ここにおいて、内筒１２は、円筒形状であって、二つが横に並び、外筒１３は、それら内筒１２、１２をまとめて囲むように、横長の筒形状をしている。また、外筒１３は、外筒本体１３ａと、その外筒本体１３ａの先端に取り付けられる前記固定部１４とからなる。外筒本体１３ａは、筒状に形成され、その先端部外周に鍔１３ｃを有している。固定部１４は、横長の環状に形成され、その内周には、外筒本体１３ａの鍔１３ｃに係合する係合溝１４ａと、保護管３に係合する係合凸部１４ｂとが設けられている。詳細には、保護管３は、凹凸が長手方向に繰り返される波付管であって、係合凸部１４ｂは、固定部１４の前記内周の中央にて、両側に円弧状のラインを形成するようにして内側方向に突き出て、前記波付管（保護管３）の凹部３ａに係合することとなる。また、固定部１４は、二つに（詳しくは、上下の二つに）分割された分割体１４ｃ、１４ｃからなり、これら分割体１４ｃ、１４ｃが、保護管３、３および外筒本体１３ａを挟むようにして組み付けられて、両分割体１４ｃ、１４ｃがビス等の固着具１６、１６により固定される。この際、係合溝１４ａが外筒本体１３ａの鍔１３ｃに係合することで、この固定部１４が、外筒本体１３ａに取り付けられ、係合凸部１４ｂが保護管３、３（詳細には、波の凹部３ａ、３ａ）に係合することで、保護管３、３を抜止め状態に固定する。
【００２６】
また、前記排出口１３ｂは、外筒１３の下部（詳しくは、側部の一部分を含む下部）に設けられる。図示実施の形態においては、排出口１３ｂは、各内筒１２の下方に設けられ、これら排出口１３ｂ、１３ｂは、挿入規制面１５に沿うようにして横長のスリット状に形成されている。
【００２７】
次に、以上の構成からなる閉塞カバー４の作用効果について説明する。この閉塞カバー４は、壁１を貫通する貫通孔１ａから配線・配管材２を引き出すための引出しカバーであって、プレート５が、貫通孔１ａを屋外Ｊ側から覆い、カバー部１１から前側に突出する内筒１２に配線・配管材２が挿通される。そして、カバー部１１から内筒１２を囲むように前側に突出する外筒１３と、内筒１２との間に、配線・配管材２を保護する保護管３が挿入される。そこで、雨水が、外筒１３の先端側からその外筒１３と保護管３との間に入り込むと、その雨水は、保護管３の先端を回ってその保護管３と内筒１２との間を通り、さらに、内筒１２の先端を回ってその内筒１２と配線・配管材２との間を通ることで、屋内へと浸入しようとする。しかし、外筒１３には、保護管３の挿入を規制する挿入規制面１５に通ずる位置に、排出口１３ｂが設けられている。このため、外筒１３と保護管３との間に入り込んだ雨水は、排出口１３ｂから外部に排出され、これにより、保護管３と内筒１２との間を内筒１２の先端側へと進む雨水の量は、減少する。このため、外筒１３からの雨水を屋内に浸入しにくくすることができる。
【００２８】
また、この閉塞カバー４は、プレート５が、壁１を貫通する貫通孔１ａを屋外Ｊ側から覆い、プレート５の裏面から突出するガイド筒部６が、貫通孔１ａの内周面に嵌合して、プレート５の取付位置を位置決めする。そして、ガイド筒部６よりも小径であってそのガイド筒部６よりも突出する充填空間形成部７と、貫通孔１ａの内周面との間が、コーキング材８の充填空間９となる。そこで、この充填空間９にコーキング材８を充填することで、この閉塞カバー４と貫通孔１ａとの間が、止水される。ここで、充填空間９は、ガイド筒部６よりも、貫通孔１ａの奥側にあることから、閉塞カバー４が合成樹脂製であっても、その充填空間９に充填されるコーキング材８には、外から閉塞カバー４を透過して侵入する紫外線が届きにくく、コーキング材８が劣化しにくくなる。しかも、この閉塞カバー４は、充填空間９が貫通孔１ａの内周面との間に形成されることから、止水にあたって、壁面１ｂとの間にパッキンが設けられる場合と異なり、壁面１ｂの凹凸等の表面形状に左右されない。すなわち、この閉塞カバー４では、コーキング材８の充填空間９が、ガイド筒部６よりも、貫通孔１ａの奥側にあって、貫通孔１ａの内周面との間に形成されることから、紫外線の影響や壁面１ｂの凹凸等の表面形状の影響を防ぐことができ、このため、閉塞カバー４の、貫通孔１ａに対する防水性を維持することができる。
【００２９】
また、充填空間形成部７と貫通孔１ａの内周面との間には、一方の面がガイド筒部６の先端に当接して、他方の面が充填空間９の底面を形成する、ポリオレフィン系樹脂からなるシート１０が設けられる。そこで、このシート１０の面が底面となる充填空間９にコーキング材８を充填すると、コーキング材８は、底面を形成するシート１０には接着されることはなく、充填空間形成部７の外周面と貫通孔１ａの内周面との二面に接着される。このため、閉塞カバー４に荷重や振動がかかったときに、コーキング材８は、底面が接着されていないことから、閉塞カバー４にかかる荷重や振動を効果的に吸収し、充填空間形成部７の外周面や貫通孔１ａの内周面との接着が剥がれにくくなる。
【００３０】
なお、本発明は、上述した実施の形態に限定されるわけではなく、その他種々の変更が可能である。例えば、外筒１３は、複数の内筒１２、１２をまとめて囲むものでなくとも、複数の内筒１２、１２を別々に囲むものであって、内筒１２、１２と同じ数だけ設けられてもよい。
【００３１】
また、内筒１２は、複数設けられなくとも、一つのみ設けられて、その一つの内筒１２に、一つあるいは複数の配線・配管材２が挿通されてもよい。
【００３２】
また、参考ではあるが、内筒１２および外筒１３は、プレート５に対して傾斜して形成されなくとも、プレート５に対して垂直となるように形成されてもよい。
【００３３】
また、参考ではあるが、保護管３の挿入を規制する挿入規制面１５は、内筒１２および外筒１３の延びる方向に直交していなくとも、内筒１２および外筒１３の延びる方向に対して傾斜してもよい。
【００３４】
また、外筒１３における固定部１４は、分割体１４ｃ、１４ｃからなり、これら分割体１４ｃ、１４ｃは、ビス等の固着具１６により固定されているが、例えば分割体１４ｃに備わる弾性変形する係止爪等の係止手段により互いに固定されてもよい。また、固定部１４は、分割体１４ｃ、１４ｃ同士が固定されることで、外筒本体１３ａに取り付けられなくとも、ビス等の固着具とか弾性変形する係止爪等の係止手段とかにより、外筒本体１３ａ自体に直接取り付けられてもよい。
【００３５】
また、配線・配管材２は、通水管の他に、ガス管等の配管材であってもよく、電力線とか通信線等の配線材であってもよい。
【００３６】
また、コーキング材８の充填空間９の底面を形成するように、ポリオレフィン系樹脂からなるシート１０が設けられているが、このシート１０は、なくともよい。
【００３７】
また、閉塞カバー４は、合成樹脂製でなくとも、金属製等その他の材料からなっていてもよい。
【符号の説明】
【００３８】
１  壁
１ａ  貫通孔
１ｂ  屋外側の壁面
２  配線・配管材
３  保護管
４  閉塞カバー
５  プレート
１１  カバー部
１２  内筒
１３  外筒
１３ｂ  排出口
１４  固定部
１５  挿入規制面
Ｊ  屋外
【図１】
0005525935.tif 000002
【図２】
0005525935.tif 000003
【図３】
0005525935.tif 000004
【図４】
0005525935.tif 000005
【図５】
0005525935.tif 000006
【図６】
0005525935.tif 000007